(57)【要約】【課題】  光アンプを備えた伝送路でＷＤＭ伝送する場合、伝送する信号数が伝送路を通過する総和に対して半数以下の場合や、伝送する信号の波長配置が偏在すると、光アンプは利得平坦性が維持できず、システム許容範囲を超えて利得偏差が生じ、伝送品質に多大な影響が生ずる。【解決手段】  波長の異なる複数の信号を送信する送信装置と受信装置の間の伝送路にＥＤＦＡを備えた光伝送装置のいずれかの機器や箇所に、ＥＤＦＡの反転分布状態を固定するための反転分布固定信号を発生する反転分布固定信号光源を備えた光伝送装置であって、前記反転分布固定信号光源は、光増幅部を通過する信号帯域付近で且つＥＤＦＡの利得係数のピーク付近に設定された波長において反転分布固定信号を発生するものであり、それら反転分布固定信号のパワーを制御することによってＥＤＦＡの反転分布状態を固定できるようにした。【選択図】      図１
2012039136.tif 000002
【特許請求の範囲】
【請求項１】
波長の異なる複数の信号を送信する送信装置と受信装置の間の伝送路にＥＤＦＡを備えた光伝送装置のいずれかの機器や箇所に、ＥＤＦＡの反転分布状態を固定するための反転分布固定信号を発生する反転分布固定信号光源を備えた光伝送装置であって、
前記反転分布固定信号光源は、光増幅部を通過する信号帯域付近で且つＥＤＦＡの利得係数のピーク付近に設定された波長において反転分布固定信号を発生するものであり、それら反転分布固定信号のパワーを制御することによってＥＤＦＡの反転分布状態を固定できることを特徴とする光伝送装置。
【請求項２】
請求項１記載の光伝送装置であって、
前記利得係数のピーク付近の波長が、1530nm±3nm、1555nm＋5/-10nmのいずれかであることを特徴とする光伝送装置。
【請求項３】
請求項１記載の光伝送装置であって、
前記利得係数のピーク付近の波長が、1530nm±3nm、1555nm＋5/-10nmの両方であることを特徴とする光伝送装置。
【請求項４】
請求項１乃至請求項３のいずれかに記載の光伝送装置であって、
更に反転分布固定信号除去手段を有することを特徴とする光伝送装置。
【発明の詳細な説明】
【技術分野】
【０００１】
本発明は送信装置と受信装置の間の伝送路に光アンプを設けた光伝送装置に関する。
【背景技術】
【０００２】
ＥＤＦＡ(Erbium Doped Fiber Amplifier)は、伝送路ファイバの損失が少ない帯域である1.55μｍで高出力、低雑音といった特性が得られることから、光ファイバ通信に於ける損失補償用の１Ｒ（Regeneration）リピータとしてこれまで広く使われてきている。また、最近は伝送容量拡大に対する要求から、信号光を複数の波長帯域で多重して伝送する波長多重（ＷＤＭ）伝送技術が一般的であり、伝送路に配置されたＥＤＦＡに波長多重信号が伝送される事が多い。
【０００３】
Point to Pointのシステムを想定した場合、両Point間にＥＤＦＡを配置して信号を伝送する際、通常、伝送路及びＥＤＦＡを通過する信号は、数（信号数）と波長帯域への配置（波長配置）が一定である。その為、通常、ＥＤＦＡは伝送路を通過する全信号に対して最適な設計がなされ、出力、ＮＦ（Noise Figure）、増幅特性（利得偏差）などが、システムの要求に応じた範囲内におさまる動作となるようにしてある。
【発明の概要】
【発明が解決しようとする課題】
【０００４】
上述した様に、Point to Pointのシステムで、両Point間にＥＤＦＡを配置して信号を伝送する際、通常、伝送路及びＥＤＦＡを通過する信号は信号数及び波長配置が一定である。然しながら、何らかの障害により信号帯域内のいくつかの信号が遮断した場合、又は、将来、ＸＣ（クロスコネクト）を用いたシステムのように、波長によって自由に経路が選択されるシステムが実現した場合、伝送路やＥＤＦＡを通過する信号数や波長配置は一定ではなくなる。特にＸＣにおいては信号の波長配置は時々刻々と変化する。
【０００５】
ＥＤＦＡは入力される信号数や波長配置により反転分布の形成状態が異なり、それによって出力、利得偏差、ＮＦ、増幅特性（利得偏差）などが著しく変化する。伝送する信号数が伝送路を通過する信号数の総和に対して、全波長域に渡って平均的に僅かに減少する場合は増幅特性に影響はないが、伝送路を通過する総和に対して半数以下の場合や、ある波長に偏在した場合、利得平坦性が維持できず、光伝送システムとして成立し得る利得偏差が許容範囲を超えて増加する。最悪の場合、信号パワーの超過する方は、伝送路ファイバの非線形光学効果が生じるパワーまで達し、逆に低下する方はＳＮ劣化のために受信できなくなるなど、伝送品質に多大なる影響を生じさせる可能性がある。従来のＥＤＦＡや光通信システムは、前記のような事態の発生に対応していないため、その様な事態の発生時に憂慮される。
【課題を解決するための手段】
【０００６】
光アンプ、特にＥＤＦＡでは、増幅媒体であるＥＤＦ内の反転分布形成状態によって増幅動作が決定付けられるため、反転分布状態をある所望範囲内に一定に保つことができれば、一定の増福特性を得ることが可能である。本発明はこの原理に基づいて、光アンプの動作状態を、反転分布固定信号によってある範囲内にロックし、信号数や波長配置の変化に対して増幅特性（利得偏差）を一定の状態に保って、それら変化に対して柔軟な対応が可能な光伝送装置を提供することにある。
【０００７】
本発明の光伝送装置は、波長の異なる複数の信号を送信する送信装置と受信装置の間の伝送路にＥＤＦＡを備えた光伝送装置のいずれかの機器や箇所に、ＥＤＦＡの反転分布状態を固定するための反転分布固定信号を発生する反転分布固定信号光源を備えた光伝送装置であって、前記反転分布固定信号光源は、光増幅部を通過する信号帯域付近で且つＥＤＦＡの利得係数のピーク付近に設定された波長において反転分布固定信号を発生するものであり、それら反転分布固定信号のパワーを制御することによってＥＤＦＡの反転分布状態を固定できるものである。
【０００８】
本発明の光伝送装置は、前記光伝送装置であって、前記利得係数のピーク付近の波長が、1530nm±3nm、1555nm＋5/-10nmのいずれか又は両方としたものである。
【０００９】
本発明の光伝送装置は、前記光伝送装置であって、更に反転分布固定信号除去手段を有するものである。
【００１０】
本発明の一例を次に記す。波長1528nm〜1563nm付近の領域を増幅するC-bandＥＤＦＡでは、例えば1530nm±3nm、1555nm＋5/-10nmのいずれかに１ch、又は同時に２ch、及び、それぞれＮch（Ｎ＞１）の反転分布固定信号で、反転分布形成状態を固定することができる。この波長の反転分布固定信号を発生する反転分布固定信号光源をアンプ内、又は送信装置内、若しくは両者に備えることで、入力される信号数や波長配置が変化しても一定の増幅特性（利得偏差）を得ることが可能である。
【００１１】
光アンプ、特にＥＤＦＡでは、上述した通り、反転分布の形成状態によってその増幅特性が決定付けられる。ＥＤＦＡの場合、増幅媒体であるＥＤＦ内の反転分布の形成はＥＤＦ長、信号光パワー、励起光パワーによって定まる。また、増幅特性はアンプに入力する信号数や波長配置によって異なる。これはＥＤＦ固有の吸収断面積、放出断面積の波長依存性に起因するものである。図３に吸収断面積、放出断面積の一例を、図４にＥＤＦのある微小断面に於ける利得係数を示す。
【００１２】
一般に吸収断面積・放出断面積、及び反転分布形成状態から、以下の（１）式で算出される利得係数が大きい波長域に予め信号を入力すると、利得係数の少ない波長域に信号を入力した場合とか、これ以外の波長域に信号を追加した場合に比して、相対的に変化が少ないのは周知の事実である。
g(λ,z,T)＝Γ［σe(λ,T)・N2(z)−σa(λ,T）・N1(z)］      （１）
σe(λ,T)：emission cross sections
σa(λ,T)：absorption cross sections
atomic population densities N1(ground level)and N2(excited level)
【００１３】
本発明の光伝送装置は、利得係数の大きい波長の反転分布固定信号を発生する反転分布固定信号光源を、光アンプや光通信システムに備えたシステムであるため、光アンプは反転分布が固定された（又はある範囲内におさめられた）状態となり、その後に増減する信号は、信号数や波長配置に拘らず所望の範囲に限定された動作をすることとなる。従って、信号数や波長配置が如何に変化しても、変化前に比べて利得偏差や出力に大差のない特性が得られる。
【００１４】
上記説明では C-band を使用する場合を例としてあるが、L-bandに関しても同様な観点から反転分布固定信号の波長を選択し、その信号を発生する反転分布固定信号光源をアンプ内に設ければ同様の効果が期待できる。また、この反転分布固定信号光源は、必ずしもアンプ内に搭載する必要はなく、例えば、送信装置に設けて、それから光アンプに供給する構成としても動作上の差はない。
【発明の効果】
【００１５】
本発明の光伝送装置は、光アンプの反転分布を固定するか、ある範囲内におさめるための反転分布固定信号を発生する反転分布固定信号光源を、光アンプや光通信システムに備えているため、光アンプは信号数や波長配置に拘らず所望範囲に限定された動作が行われ、信号数や波長配置がいかに変化しても、変化前に比べて利得偏差や出力に大差のない特性が得られる。
【図面の簡単な説明】
【００１６】
【図１】本発明の光通信システムの第１の実施例を示す説明図。
【図２】本発明の光通信システムの第２の実施例を示す説明図。
【図３】（ａ）はＥＤＦの吸収断面積の一例を示した説明図、（ｂ）はＥＤＦの放出断面積の一例を示した説明図。
【図４】ＥＤＦのある微小断面に於ける利得係数を示す説明図。
【発明を実施するための形態】
【００１７】
（実施例１）
図１に本発明の第一の実施例を示す。この実施例は伝送路中の２ステージＥＤＦＡに光アンプの入力側から反転分布固定信号光源を入力する例である。信号光の入力側から光合波手段１、前段増幅部２、後段増幅部３、反転分布固定信号除去手段４が設けられ、光合波手段１に反転分布固定信号光源５が接続されている。前段増幅部２には例えば前方励起ＥＤＦＡなどが使用される。後段増幅部３には例えば双方向励起ＥＤＦＡなどが使用される。前段増幅部２、後段増幅部３のブロック内にはＥＤＦＡの構成要素である、アイソレータ、ＴＡＰカプラ、ＷＤＭ、ＥＤＦ、ＰＤ、励起ＬＤ等が含まれる。反転分布固定信号除去手段４にはカプラなどが使用される。反転分布固定信号光源５には例えば、ＤＦＢ−ＬＤとＬＤ駆動回路などが使用される。このブロック内には、温度安定化回路、駆動電流調整回路、これらのモニタ回路など、ＬＤを駆動するための機能を備えた各種回路が含まれる。
【００１８】
反転分布固定信号は光合波手段１後に接統される増幅部の増幅波長帯域によって波長が選択される。その波長は、通常は、当該増幅部を通過する信号帯域付近で、且つアンプの励起波長以外の波長である。例えばC-band用アンプでは1530nm±3nm、1555nm＋5/-10nmのいずれかに１ch、又は同時に２ch、及びそれぞれＮch（Ｎ＞１）信号を備えた構成である。
【００１９】
反転分布固定信号を光アンプへ導くための手段には、例えば、光カプラなどの光合波手段１を用いることができる。本実施例では２ステージＥＤＦＡの構成を示したが、本発明では、光アンプの構成はシングルスーテジはもとより、２ステージだけに限定されない。また、本発明は図１のように、光アンプの段間に光学部品が含まれた構成にも適用できる。この場合、前段増幅部２と後段増幅部３との間に、利得等化フィルタ、光アッテネータ、ＤＣＦ、ＯＡＤＭ、ＳＭＦ等の光学部品６が挿入される。更に、本実施例では、反転分布固定信号をアンプの入力側から導いているが、反転分布固定信号はアンプの段間とか、アンプ内部から導くこともできる。
【００２０】
（実施例２）
図２に本発明の第２の実施例を示す。これは送信装置内の第２の光合波手段１から反転分布固定信号を入力する例であり、波長の異なる複数の信号を送信する送信装置７、第１の光合波手段８、第２の光合波手段１の順に接続されている。通常、この先にはプリアンプまたは伝送路ファイバが接続されるが、図２ではこれらを示していない。送信装置７から送信される信号は、例えば、1550nm帯の信号や1580nm帯の信号、シリカ系ファイバの損失特性において比較的少ないロスを呈する波長の信号である。送信装置７のブロックには変調器、ＬＤ駆動回路など、一般的に送信機に必要な機能が含まれる。
【００２１】
図２の第２の光合波手段１には反転分布固定信号光源５が接続される。反転分布固定信号の波長選択は実施例１と同様とし、反転分布固定信号を光アンプへ導くための手段（第２の光合波手段）には、例えば光カプラなどの光合波器を用いるが、第１の光合波手段８と同じもの若しくは、第１の光合波手段８の入力の一端に反転分布固定信号を接続したものを利用しても良い。第１の光合波手段８には、通常は、ＡＷＧ、カプラなどが使用される。方式によっては温度調整機能も含まれる。反転分布固定信号は伝送路を通じて光アンプ内に導かれる。図２では第２の光合波手段１に反転分布固定信号を加えるようにしてあるが、反転分布固定信号を加える位置はこの位置に限定されることなく、伝送路に設けられた光アンプに反転分布固定信号を導入することができれば、構成は問わない。
【００２２】
（実施例３）
実施例１、２では、光アンプの一例がＥＤＦＡの場合であるが、本発明の光アンプはＥＤＦＡに限定されず、ＥＤＦＡと同様の光増幅をするか、同様の光増幅原理を備えた全ての光アンプを使用することができる。
【符号の説明】
【００２３】
１  光合波手段
２  前段増幅部
３  後段増幅部
４  反転分布固定信号除去手段
５  反転分布固定信号光源
６  光学部品
７  送信装置
８  光合波手段
【図１】
2012039136.tif 000003
【図２】
2012039136.tif 000004
【図３】
2012039136.tif 000005
【図４】
2012039136.tif 000006